(57)【要約】【目的】本発明は重量物を収容する比較的小型容器用台車及びその台車を使った容器の運搬方法に関するものである。【構成】重量物を収容する容器用台車において、左右両辺（１１）・（１２）と基部辺（１３）を囲む台枠（１）と、その台枠の左右両辺の後端側底部に後輪（２）を設け、且つ台枠の左右両辺の先側端底部に振り子運動する前輪（３）を設け、且つ前輪の軸受部材（４）を含む取付部材（５）が前輪取付軸（６）の中心（Ｐ′）よりその外側部位が内側部位より重量が重くなるように設定して、前記振り子状の前輪（３）の中心（Ｐ）が当該前輪取付軸（６）の中心（Ｐ′）よりも多少内側の距離（Ｌ）に位置するように設定し、台枠（１）の基部辺（１３）に手押し用ハンドル（９）を取付けた構成。【選択図】      図２
2004306759.tif 000002
【特許請求の範囲】
【請求項１】
左右両辺（１１）・（１２）と基部辺（１３）を囲む台枠（１）と、その台枠の左右両辺の後端側底部に後輪（２）を設け、且つ台枠の左右両辺の先側端底部に振り子状の前輪（３）を設け、且つ前輪の軸受部材（４）を含む取付部材（５）が前輪取付軸（６）の中心（Ｐ′）よりその外側部位が内側部位より重量が重くなるように設定して、前記振り子状の前輪（３）の中心（Ｐ）が当該前輪取付軸（６）の中心（Ｐ′）よりも多少内側の距離（Ｌ）に位置するように設定した構造とし、台枠（１）の基部辺（１３）に手押し用ハンドル（９）を取付けたことを特徴とする重量物を収容する容器用台車。
【請求項２】
台枠（１）の左右両辺（１１）・（１２）の基部を対向内向きに折曲して折曲片（１３′）・（１３″）を形成すると共に、その折曲片を広狭調節できるように互いに重なる基部辺（１３）を成形し、その重ねた折曲片に長孔（７）をあけて止めねじ（８）を通して固定するようにした請求項１記載の重量物を収容する容器用台車。
【請求項３】
台枠（１）の左右両辺（１１）・（１２）の先側端底部に設けてある振り子状の前輪（３）の軸受部材（４）を含む取付部材（５）を取付軸（６）を中心に前方に向けて倒した後に容器（Ｂ）の開口縁辺（Ｂ１）の下側に台枠（１）の上辺部位を差し込み、差し込み終わった状態で台枠基部側の後輪（２）を支点として台枠先端部を持ち上げたときに台枠先端部の振り子運動する前輪（３）が取付軸（６）を中心に垂直線（Ｃ）より内側に移動した状態で接地して台枠（１）の上辺をほぼ水平に位置させながら容器体（Ｂ）を支受することを特徴とする重量物を収容する容器用台車を使った容器の運搬方法。
【請求項４】
振り子運動状に回動する前輪（３）を軸受部材（４）を含む取付部材（５）の取付軸（６）に一方の作動カム（１０）を取付け、当該作動カムに係合する駆動カム（１１）を台枠側に取付け、駆動カム（１１）に操作ワイヤー（１２）を接続すると共に、引張バネ（１３）で引張作用を与えておき、その操作ワイヤー（１２）を引張バネ（１３）に抗して引っ張ったときに駆動カム（１１）が反時計方向に移動することに伴って駆動カム（１１）を引っ張ることにより、これに接触している作動カム（１０）が時計方向に回動して前輪（３）を起立状態から水平方向に移動して容器体（Ｂ）を積載又は解放状態にすることを特徴とする重量物を収容する台車を使った容器の運搬方法。
【発明の詳細な説明】
【０００１】
【発明が属する技術分野】
本発明は多量のパチンコ玉その他の重量物を収容する比較的小型容器用台車及びその台車を使った容器の運搬方法に関するものである。
【０００２】
【従来の技術】
一般にパチンコ店において、出玉が貯まると容器に２０００〜２５００個位の単位で収容し、多いときはこの容器（一般に「玉箱」と呼ばれる）複数段に積み重ねておき、ゲーム終了時にこれを景品交換カウンタまで運搬して景品に交換していた。
【０００３】
ところが、その出玉を入れた容器は１個当たり１２〜１５Ｋｇ程度の重さがあるため、これを人手で運搬するのに相当な負担が掛かる。そこで、最近では手押し台車に容器を積んで運搬することが行われる。
【０００４】
その場合でも、台車に積むまでは客が中腰になって容器を持ち上げる作業が必要になる。出玉が入った容器が多数の場合は、店の従業員がサービスで手伝うことがあるが、これを頻繁に行うと腰痛の原因にもなり、労務対策上問題があった。
【０００５】
【問題点を解決するための手段】
そこで、本発明は従来技術の問題点を解決し、且つ発明の目的を達成するために提供するものである。
【０００６】
本発明の第１は重量物を収容する容器用台車において、左右両辺と基部辺を囲む台枠と、その台枠の左右両辺の後端側底部に後輪を設け、且つ台枠の左右両辺の先側端底部に振り子運動する前輪を設け、且つ前輪の軸受部材を含む取付部材が前輪取付軸の中心よりその外側部位が内側部位より重量が重くなるように設定して、前記振り子状の前輪の中心が当該前輪取付軸の中心よりも多少内側の距離に位置するように設定した構造とし、台枠の基部辺に手押し用ハンドルを取付けたものである。
【０００７】
本発明の第２は第１の発明に係る重量物を収容する容器用台車において、台枠の左右両辺の基部を対向内向きに折曲して折曲片を形成すると共に、その折曲片を広狭調節できるように互いに重なる基部辺を成形し、その重ねた折曲片に長孔をあけて止めねじを通して固定するようにしたものである。
【０００８】
本発明の第３は重量物を収容する容器用台車を使った容器の運搬方法において、台枠の左右両辺の先側端底部に設けてある振り子状の前輪の軸受部材を含む取付部材を取付軸を中心に前方に向けて倒した後に容器の開口縁辺の下側に台枠の上辺部位を差し込み、差し込み終わった状態で台枠基部側の後輪を支点として台枠先端部を持ち上げたときに台枠先端部の前輪が取付軸を中心に垂直線より内側に振り子運動によって移動した状態で接地して台枠の上辺をほぼ水平に位置させながら容器体を支受するようにしたものである。
【０００９】
本発明の第４は重量物を収容する容器用台車を使った容器の運搬方法において、振り子運動する前輪を軸受部材を含む取付部材の取付軸に一方の作動カムを取付け、当該作動カムに係合する駆動カムを台枠側に取付け、駆動カムに操作ワイヤーを接続すると共に、引張バネで後輪方向に引張作用を与えておき、その操作ワイヤーを引張バネに抗して後輪方向に引っ張って駆動カムを時計方向に回動することに伴って、これに接触している作動カムが時計方向に回動して前輪を起立状態から水平方向に倒し込んで容器体を積み荷又は解放状態にするようにしたものである。
【００１０】
【発明の実施態様】
台枠の左右両辺の先側端底部に設けてある前輪をその軸受部材と一体の取付部材の取付軸を中心に恰も振り子運動状に回動して前方に向けて倒し、容器の開口縁辺の下側に台枠の上辺部位を差し込み、差し込み終わった状態で台枠基部側のペダルを踏み込むことによって後輪が支点となり、又は後輪の支軸が中心となって台枠先端部を持ち上げたときに台枠先端部の前輪が取付軸を中心に振り子運動状に回動し、当該取付軸の中心を通る垂直線より内側方向に移動した状態で接地して台枠の上辺をほぼ水平に位置させながら容器を支受し、手押し用ハンドルによって積み荷を運搬のために走行する。
【００１１】
【実施例】
次に本発明の実施例を図面に基いて説明する。１は左右両辺１１・１２と基部辺１３を囲むと共に先端部位が開放されている凹溝形を成す台枠であり、図示例は２分割した左右両辺１１・１２の基部を対向内向きに曲げて形成した折曲片１３′・１３″を重ねて固定することによって基部辺１３を成形してある。
【００１２】
２はその台枠の左右両辺の基部側に設けた後輪であり、図示例は台枠の左右両辺１１・１２の内側に受け座１４を介して固定式になっている。
【００１３】
３は台枠の左右両辺１１・１２の先端側底部に設けた振り子状の前輪であり、支軸３１を軸受部材４と、当該軸受部材を固定した取付部材５を取付軸６によって台枠１の左右両辺１１・１２に恰も振り子運動のように回動できるように取付けてある。前記前輪の支軸３１の中心Ｐは、軸受部材４と取付部材５を介在した取付軸６の中心Ｐ′を通る垂直線Ｃよりも多少内側（荷物側）の距離Ｌ（具体的には７．０〜１２．０ｍｍ）に位置するようになっていて、且つ前記の取付部材５は、取付軸６の中心Ｐ′を境にその外側（先端側）が内側部位より重量が重くなるように設定されている。
【００１４】
７は２分割した台枠１の横幅Ｗを広狭調節できるように相互に重ねた折曲片１３′・１３″にあけた長孔、８はその長孔に通して基部辺１３を成形するための止めねじ、９は台枠１の基部辺１３に下端部９１を取付けた手押し用ハンドル、、図中Ａは台枠基部辺に設けたペダルである。
【００１５】
１０は前輪の支軸３１に取付けた作動カムであり、同図の場合は取付部材５と一体に成形してある。１１はその作動カムに係合する駆動カムであり軸１１１で台枠側（左右両辺枠１１・１２）に結合してある。１２は駆動カム１１に接続した引張用ワイヤー、１３は引張用ワイヤー１２の引張方向と同じ方向に作用する引張バネであり、一端を駆動カム１１に取付け、他端を台枠１側に取り付け、これらによってカム機構を構成してある。
【００１６】
「具体的な使用例」
「積み荷の準備」  床面Ｆに単一段又は複数段に積重ねた出玉入り容器Ｂを載置する。
【００１７】
図１において、台枠１の前輪３の軸受部材４を含む取付部材５を取付軸６を中心に振り子運動で上向きに回動して台枠１の先端方向に倒し込む。これによって、台枠左右両辺の枠１１・１２の先端部位が床面Ｆの方向に傾斜して接近し、且つ前輪３及び左右両辺枠１１・１２の下端の一部が接地する。（図２）
【００１８】
「積み荷準備の開始」  前輪３及び左右両辺枠１１・１２の下端の一部が接地して台枠先端部位を低くした状態のままで、台枠１を床面Ｆに単一段又は複数段に積重ねて置いた出玉入り容器Ｂに向かって進行させ、最下段に位置する容器Ｂの開口部位における左右縁辺Ｂ１・Ｂ２の下側にほぼ全長に亘って差し込んでいく。
【００１９】
「積み荷準備の終了」  左右両辺枠１１・１２を、その基部ストッパ１ｎに容器Ｂの左右縁辺Ｂ１・Ｂ２の基部Ｂｎが当たるまで押し進めた状態にする。
【００２０】
「積み荷の開始」  台車１の基部辺１３に片足を乗せて体重を掛け、ハンドル９を手前側に傾け、且つ後輪２を支点とし、又は後輪の支軸２１を中心にして台枠１の先端部位を浮かせる（図３及び図１０参照）。この状態において、前輪３は前方に倒れ込んでいた位置イから恰も振り子運動の原理で、取付軸６を中心に下方に回動し、垂直線Ｃの位置ロを通り越して設定の距離Ｌだけ内側に寄った位置ハで停止する。この作動原理は、軸受部材４及び取付部材５が取付軸６の中心Ｐ′より外側「ｏ」の部位（図１０の斜線部分）が内側「ｉ」の部位（積んだ容器側）より重量が重くなるように設定してあることによる。
【００２１】この状態から、台枠１の基部１３の固定ペダルＡに乗せた片足の荷重を徐々に弱めると、前輪３が振り子運動によって下方に回動して垂直線Ｃより多少内側に位置した起立状態になって床面Ｆに接地し、同時にハンドル９及び台枠１の先端部がもとの位置に戻る。このとき、両辺枠１１・１２の上辺が容器Ｂの左右両縁辺の凹溝Ｂ３（図６参照）に嵌合して当該容器を支受し積み荷が終了する。
【００２２】
「カム機構による前輪の操作」  図１１の状態において、前輪３の支軸３１に軸受けされている作動カム１０に係合する駆動カム１１に引張バネ１３で常時引張作用が与えられていて、前輪３の支軸３１の中心Ｐが取付軸６の中心Ｐ′より所定の距離Ｌだけ左右両辺枠１１・１２の長さ方向の内側に位置している。
【００２３】
この状態で操作ワイヤー１２をレバー（図示省略）によって引っ張ると、駆動カム１１が反時計方向に回動し、これに接している作動カム１０が時計方向に回動する。これによって、前輪３は接地状態イ→垂直状態ロ→水平状態ハの順に移動して図１１の位置（図１１のハの位置に相当する）に倒れ込む。あとは段落「００１７」の「積み荷準備の開始」から、段落「００２０」の「積み荷の終了」までの作業を行う。
【００２４】
【発明の効果】
本発明は上記の構成であるから次の効果がある。すなわち、多量のパチンコ玉その他の重量物を収容する比較的小型容器を単一個はもちろんのこと２段以上の複数段であっても、手で持ち上げないで簡単容易に台車に積むことができる。
【００２５】
これによって出玉を大量に出した客が重い思いをして景品交換カウンタまで運ぶ必要がない。また、サービスで店のスタッフが頻繁に運搬を手伝うことによっても、腰痛の原因が取り除かれる。
【００２６】
また、左右の台枠は基部辺の重なり部を横幅の広狭調節することによって各パチンコ店の出玉収容容器のサイズに合わせて調節することが可能であり、互換性に優れている。
【００２７】
さらに、前輪に作動カムを設け、これに係合する駆動カムをレバーハンドルによるワイヤー操作で行うと前輪の振り子運動による起倒作動をハンドル操作だけで、より一層簡単容易に行うことができる。
【図面の簡単な説明】
【図１】本発明に係る重量物を収容する小型容器用台車の空荷で走行する状態を示す側面図である。
【図２】図１の振り子状の前輪を倒して積み荷又は荷下ろし状態を示す側面図である。
【図３】図２の倒れ込んでいる前輪を起こしている状態の側面図である。
【図４】図２から前輪を起こして積み荷走行する状態を示す側面図である。
【図５】図４の平面図である。
【図６】図４の起立している前輪の正面図である。
【図７】図２の倒れ込んでいる前輪の正面図である。
【図８】図１の起立している前輪の拡大側面図である。
【図９】図２の倒れ込んでいる前輪の拡大側面図である。
【図１０】図８から図９の前輪の回動軌跡を示す側面図である。
【図１１】前輪をカム機構で作動させる積み荷走行状態の側面図である。
【図１２】前輪をカム機構で図１１の前輪を倒して積み荷又は荷下ろし状態を示す側面図である。
【符号の説明】
１……台枠
２……固定式の後輪
３……振り子状の前輪
４……軸受部材
５……取付部材
６……取付軸
７……長孔
８……止めねじ
９……手押し用ハンドル
１０……作動カム
１１……駆動カム
１２……操作ワイヤー
１３……引張バネ
【図１】
2004306759.tif 000003
【図２】
2004306759.tif 000004
【図３】
2004306759.tif 000005
【図４】
2004306759.tif 000006
【図５】
2004306759.tif 000007
【図６】
2004306759.tif 000008
【図７】
2004306759.tif 000009
【図８】
2004306759.tif 000010
【図９】
2004306759.tif 000011
【図１０】
2004306759.tif 000012
【図１１】
2004306759.tif 000013
【図１２】
2004306759.tif 000014